(57)【要約】      （修正有）【課題】道路反射鏡が曇る原因は、反射鏡周辺の気温の変化に、反射鏡鏡面の温度が早く追従しないために、鏡面に結露が付着し、鏡面に曇りが発生する。【解決手段】道路反射鏡の周辺の気温が所定値以下であるときに、周辺の気温の低下が急激に低下した場合、又は周辺の風速が所定値に以下した場合、送風機９により道路反射鏡の鏡面２に送風することにより、鏡面２の結露等の発生を防止し、道路反射鏡の曇りを防止する。【選択図】図１
2009167782.tif 000002
【特許請求の範囲】
【請求項１】
鏡面体の近傍に付設された、風速検知用センサーにより風速を検知し、風速が所定値以下で、気温が所定値以下のとき、鏡面体に付設された送風機により、所定時間、鏡面に送風することを特徴とする道路反射鏡。
【請求項２】
鏡面体の近傍に付設された、温度センサーにより、気温を計測し、気温が所定値以下で、時間当たりの気温低下が所定値以上になったときに、鏡面体に付設された送風機により、所定時間、鏡面に送風することを特徴とする道路反射鏡。
【請求項３】
鏡面体に付設された、光電センサーにより、鏡面に結露等の曇りが発生したことを検出し、鏡面体に付設された送風機により、所定時間、鏡面に送風することを特徴とする道路反射鏡。
【発明の詳細な説明】
【技術分野】
【０００１】  本発明は、交通安全にために使用する道路反射鏡に関するものであって、鏡面の結露等を防止して、鏡面の曇りを防止する技術に関するものである。
【背景技術】
【０００２】  従来の道路反射鏡鏡面の曇り防止技術としては、鏡面と裏板の間に蓄熱材を設置し、昼間の外気の気温が高いときに鏡面より熱を取り込み、蓄熱材に蓄熱し、夜間から早朝に、蓄熱材の熱で鏡面を温め、鏡面の曇りを防止することが提案されている。【０００３】
【特許文献１】特開平１０−３１７３２８
【０００４】  上記の曇り防止技術は鏡面がステンレス等の熱伝導率の高い金属製の道路反射鏡では有効である。これは、昼間の熱の取りこみ及びこの熱を夜間や早朝に鏡面に伝達して加温し、この熱が鏡面の曇り防止に有効に働くからである。【０００５】  一方、鏡面が上記の金属性以外のガラス、ポリカーボネイト、アクリル製等の道路反射鏡の場合には、これらの鏡面が熱伝導率が低いために、鏡面体の蓄熱及びこの熱の鏡面への伝達が悪く上記の蓄熱式道路反射鏡の曇り防止効果は必ずしも十分ではない。【０００６】  また、上記の蓄熱式道路反射鏡の他に、電気ヒーターを内蔵して、この熱で鏡面を加温し、鏡面の曇りを防止する方法が実施されているが、ポリカーボネイトやアクリル製の鏡面を持つ道路反射鏡の場合、加温することにより、鏡面が軟化し、鏡面に歪が発生するおそれがあり、この電気ヒーター式曇り防止方式は不向きである。
【発明の開示】
【発明が解決しようとする課題】
【０００７】  現在、道路反射鏡としては、金属性鏡面以外のポリカーボネイトやアクリル製の道路反射鏡が半分以上使用されている。これらの道路反射鏡が曇る原因は、反射鏡周辺の気温の変化に、反射鏡鏡面の温度が早く追従しないために、鏡面に結露が付着し、鏡面に曇りが発生する。従って、鏡面の温度を、周辺の気温に早く近づけてやることで鏡面の結露を防止し、曇りの発生を防止できる。【０００８】  本発明は、上記の問題を低コストで設置が容易な方法によって反射鏡の鏡面の曇りを防止する道路反射鏡である。
【課題を解決するための手段】
【０００９】  一般に、茶畑においては、早春、茶の茎葉に霜の発生防止のために、茶畑の上空より茶畑表面（茶木の生育している付近）へ扇風機等の送風機により送風しているが、これは、殆ど無風状態で空気の対流の無い場合、上空の比較的温かい空気を茶畑表面に送風して、茶畑表面の温度を上昇させることにより、茶の茎葉に霜の発生を防止するものである。【００１０】  請求項１の発明はこの原理を応用し、鏡面体の近傍に付設された、風速検知用センサーにより風速を検知し、風速が所定値以下で、気温が所定値以下のとき、鏡面体に付設された送風機により、所定時間、鏡面に送風することを特徴とする道路反射鏡である。【００１１】  即ち、請求項１の発明は、道路反射鏡の鏡面の曇り防止方法として、反射鏡の鏡面周辺が所定風速以下の時に、例えば、気温が１５〜２０℃において風速が、０．２〜１．５ｍ／秒のとき、鏡面に送風機で送風することにより、鏡面の湿度を下げ、更に、鏡面の温度を周辺の温度に近づけることにより、鏡面の結露を防止し、鏡面の曇りを防止する。【００１２】  請求項２の発明は、鏡面体の近傍に付設された、温度センサーにより、気温を計測し、気温が所定値以下で、時間当たりの気温低下が所定値以上になったときに、鏡面体に付設された送風機により、所定時間、鏡面に送風することを特徴とする道路反射鏡である。【００１３】  即ち、請求項２の発明は、道路反射鏡の鏡面周辺の気温が低いときに、周辺気温が速い速度で低下すると、鏡面温度の追従が遅れ、周辺の気温と鏡面の温度差が大きくなり、鏡面に結露する。
これを防止するためには、鏡面周辺の温度低下の時間当たりの低下温度が所定値以上になったとき、例えば、気温が１５〜２０℃において、温度低下が０．３〜１．５℃／時間のときに、鏡面に送風機により、送風することにより、鏡面の湿度を下げ、更に、鏡面温度を周辺温度に近づけることにより、鏡面に結露が発生することを防止し、鏡面の曇りを防止する。【００１４】  請求項３の発明は、鏡面体に付設された、光電センサーにより、鏡面に結露等の曇りが発生したことを検出し、鏡面体に付設された送風機により、所定時間、鏡面に送風することを特徴とする道路反射鏡である。【００１５】  即ち請求項３の発明は、道路反射鏡の鏡面を光電センサーにより、鏡面が反射鏡として目視可能か、鏡面が結露等により反射鏡が目視でき難い状態であるかを、投光器と受光器の組み合わせにより検出し、反射鏡として目視でき難い状態を検出したとき、送風機により反射鏡の鏡面に送風して湿度を下げ、更に、鏡面の温度を周辺温度に近づけることにより、鏡面に発生した初期の結露が拡大することを抑制及びこの初期結露を解消し、反射鏡の鏡面の曇りを解消及び防止する。【００１６】  上記の請求項１〜３の発明にかかる、道路反射鏡の結露防止機構は、道路反射鏡の周辺の比較的温かい空気を鏡面体近傍に設置した送風機により、送風することにより、周辺の気温より低下した鏡面温度を周辺の気温にに近づけることにより、鏡面の結露を防止する。また、鏡面付近の湿度を送風により排除・低減することにより、鏡面の結露の発生を防止しする。更には、鏡面に結露が発生している場合でも、前記した送風により、鏡面を温める（周辺の気温に近づける）ことと、鏡面の湿度を排除・低減することで結露の拡大を防止し、また解消を図るものである。
【発明の効果】
【００１７】  本発明の道路反射鏡の周辺の気温が所定値以下であるときに、周辺の気温の低下が急激に低下した場合、又は周辺の風速が所定値に以下した場合、送風機により道路反射鏡の鏡面に送風することにより、鏡面の結露等の発生を防止し、道路反射鏡の曇りを防止する。
また、道路反射鏡の結露等の曇りを光電センサーにより検知したとき、送風機により道路反射鏡の鏡面に送風することにより、鏡面の結露等の拡大を防止したり、結露等の解消を図り、道路反射鏡の曇りを防止する。
上記のように、本発明の道路反射鏡の曇り防止方式は極めて簡便な方式で可能であり、経済的にも優れ、メンテナンスも殆ど不用である。
【発明の実施するための最良の形態】
【００１８】  以下本発明の実施の形態を図面に基づいて詳細に説明する。但し、以下に説明する、実施の形態は本発明を限定するものではない。
【００１９】  図１は、本発明の道路反射鏡の実施の１形態を示す側面図である。図２は、風速、温度の急低下を検出する系統図である。
図において１は鏡面体であり、ポリカーボネイト、アクリル等のプラスチックやガラス、金属で製作され、鏡面体１の前面には鏡面２が取り付けられてあり、鏡面体１の上部には庇６が取り付けられている。鏡面２はステンレス、ガラス、ポリカーボネイト、アクリル等による鏡面が使用される。鏡面体１は鏡面体取り付け金具４及び支柱取り付け金具３により、支柱５に取り付けられている。
【００２０】  図中９は送風機であり、鏡面１に送風することにより、結露の発生を防止する。庇６の上部に光電センサー８及び送風機９を、取り付け金具７により固定され、送風機９の送風は鏡面２の全面に送風される。送風機９としては、例えば、φ８００ｍｍの鏡面体１であれば、ブラミレスＤＣファンで３Ｗ〜１０Ｗ出力のファンが使用できるが、これに限定するものではない。
【００２１】  風速センサー１０は、風速、温度急低下検出部収容箱１１の上部に防水屋根の下に固定されている。この風速センサー１０は１ｍ／ｓｅｃ以下の微風速を検出することが必要であるので、風速検出方式は、熱線風速計の原理を利用した検出方式としており、可動部がないので長寿命である。
【００２２】  温度センサー１２は、風速センサー１０の直ぐ横に取り付けられている。温度センサー１２としては、電気抵抗の変化を利用したものが使用できるが、必ずしもこれに限定するものではない。
この温度センサー１２による温度の急低下検出方法は、温度センサー１２が温度の低下を感知すると、１時間タイマーが計測を始め、１時間後に、１時間前の温度と現在の温度を比較し、所定以上の温度低下が計測されると送風機等の曇り防止機構が動作する。
【００２３】  光電センサー８は、鏡面体１上部に取り付けられた庇６に取り付けられた、送風機取り付け金具７に、鏡面２のほぼ全面が光電センサーの投光がカバーされるように取り付けられている。
光電センサー８は赤外線タイプが、外光の誤作動がなくて良い。この光電センサーは、鏡面２に結露等の曇りが発生した場合等に、この曇りを検知するが、検知方式は拡散反射型検出方式により、直接曇りを検知し、この信号を送風機に送ることにより、送風機９を駆動させて結露等の拡散及び解消を図る。
【００２４】  本発明の道路反射鏡の送風機及び各種センサー等の電源としては、電力会社の商用電源を利用し、直流電圧に変換して使用できる。この商用電源の受電が困難な地域においては、太陽電池と蓄電池又は電気２重層コンデンサーに充電して電源として使用する。
【図面の簡単な説明】
【００２５】
【図１】図１は本発明の道路反射鏡の側面図である。
【図２】図２は本発明の風速、温度急低下検出系統図である。
【符号の説明】
【００２６】１  鏡面体
２  鏡面
３  支柱取付金具
４  鏡面体取付金具
５  支柱
６  庇
７  光電センサー、送風機取付金具
８  光電センサー
９  送風機
１０  風速センサー
１１  風速、温度急低下検出部収容箱
１２  温度センサー
【図１】
2009167782.tif 000003
【図２】
2009167782.tif 000004